Podtech/llm-jp-corpus-v4-ja_patent huggingface dataset:
(57)【要約】      （修正有）【課題】デジタル録音の音に低周波の音を付け足すソフトを提供する。【解決手段】ｃｄなどの音を既存の音楽ソフトを利用して、音符にしたデジタル録音の音に音階の上下に合わせて低い周波数の音を付け加える。【効果】味気ないデジタル録音の音をレコードの様にいい音に出来る。【選択図】なし【特許請求の範囲】
【請求項１】
デジタル録音の音に低周波の音を付け足すソフト。
【発明の詳細な説明】
【発明の詳細な説明】
【技術分野】
【０００１】本発明はｃｄなどデジタル録音されたものに、周波数の低い音を付け足すパソコンのソフトに関するものである。
【背景技術】
【０００２】従来、ｃｄ等のデジタル録音は周波数の低い音をカットしているので、レコードや、テープのおとに比べると味気なかった。
【発明を実施するための形態】
【０００３】本発明は、音符にしたデジタル録音の音に音階の上下に合わせて低い周波数の音を付け加えるようにしたものである。
【発明の効果】
【０００４】このようにすれば、味気ないデジタル録音の音をレコードの様にいい音に出来る。
(57)【要約】【課題】  補綴用の歯として用いるものを作るための歯型を、精度のバラつきを減らしつつ高速に、しかも精度を高くして製作できる補綴用歯型製作方法等を提供する。【解決手段】  補綴用の歯として用いるものを作るための歯型を製作する補綴用歯型製作方法は、完成形の歯型に比べて精度が低い中間物の歯型を三次元プリンタにより自動化して作る第１のステップ（ＳＴ１）と、第１のステップで作った中間物の歯型を補修剤で仕上げて完成形の歯型を作る第２のステップ（ＳＴ２）とを含むものである。【選択図】  図１
2018198711.tif 000002
【特許請求の範囲】
【請求項１】
補綴用の歯として用いるものを作るための歯型を製作する補綴用歯型製作方法であって、
完成形の歯型に比べて精度が低い中間物の歯型を三次元プリンタにより自動化して作る第１のステップと、
前記第１のステップで作った中間物の歯型を補修剤で仕上げて前記完成形の歯型を作る第２のステップとを含む、補綴用歯型製作方法。
【請求項２】
請求項１記載の補綴用歯型製作方法に用いられる補修剤。
【発明の詳細な説明】
【技術分野】
【０００１】
本発明は、補綴用歯型製作方法に関し、特に、三次元プリンタを用いる補綴用歯型製作方法に関する。
【背景技術】
【０００２】
むし歯等の歯の病気で治療が行われる際には、例えばさし歯と言われる補綴物を用いた治療が行われる。その他にも、例えば、奥歯のかぶせ歯として、クラウンと言われるものがある。このクラウンは、歯科医師や歯科技工士によって、以下のような工程で作られている。
【０００３】
第１に、クランを作るための模型とかみ合わせを見るための上の歯と下の歯の模型が必要になり、型取りが行われる。
【０００４】
第２に、石膏の流し込みが行われ、クラウンをかぶせる土台の模型の製作が行われる。この模型製作では、スコープで拡大しながら歯との境目をぴったり合わせるためにも細工が行われ、咬合器に模型を装着して口の中の咬み合わせも再現されながら作業が行われる。
【０００５】
第３に、金属歯を作るための歯型としてのワックスの歯の製作が行われる。このワックスの歯の製作・調整は、歯科技工士の高い技術が必要とされる。
【０００６】
第４に、ワックスの歯から鋳造技術を用いて金属歯の製作が行われる。この金属歯に対して、表面処理が行われ、金属を磨く処理も行われる。そして、模型に合わせて、金属歯を磨いて光らせ、咬み合わせや隣の歯とのスペース調整など、模型上での適合が図られて、完成となる。
【０００７】
一方、ＣＡＤ／ＣＡＭ技術を用い（例えば特許文献１）、三次元プリンタが用いられ、上記ワックスの歯に該当するものを紫外線重合型レジンのような造形用の材料で製作することも提案されてきている。
【先行技術文献】
【特許文献】
【０００８】
【特許文献１】特開２０１７−１８２６４号公報
【発明の概要】
【発明が解決しようとする課題】
【０００９】
しかしながら、歯科技工士が手作業で全て行うとすれば、技工士の技術により精度のバラつきが発生しているという問題がある。
【００１０】
一方、特許文献１のような技術を用い、三次元プリンタで製作するとすれば、精度のバラつきが減るものの、精度を要求すればするほど、時間がかかりすぎるという問題が生じる。さらに、精度は、積層ピッチを細かくする設定が必要なことの他、造形に使う材料であるレジンは種類によって性能が異なり、その性能も考慮した設定が必要であり、精度を期待通りに出すことも簡単ではないという問題がある。
【００１１】
ゆえに、本発明は、補綴用の歯として用いるものを作るための歯型を、精度のバラつきを減らしつつ高速に、しかも精度を高くして製作できる補綴用歯型製作方法等を提供することを目的とする。
【課題を解決するための手段】
【００１２】
本発明の第１の観点は、補綴用の歯として用いるものを作るための歯型を製作する補綴用歯型製作方法であって、完成形の歯型に比べて精度が低い中間物の歯型を三次元プリンタにより自動化して作る第１のステップと、前記第１のステップで作った中間物の歯型を補修剤で仕上げて前記完成形の歯型を作る第２のステップとを含むものである。
【００１３】
本発明の第２の観点は、請求項１記載の補綴用歯型製作方法に用いられる補修剤である。
【発明の効果】
【００１４】
本発明の観点によれば、期待される完成品の歯型からすれば精度は落ちるものの高速に中間物の歯型を作り、中間物の歯型を補修剤で仕上げるので、歯科技工士による技術のバラつきも極力抑えつつ高精度な完成品の歯型へと高速に仕上げることができる。
【図面の簡単な説明】
【００１５】
【図１】本発明の実施の形態にかかる補綴用歯型製作方法を説明するためのフロー図である。
【発明を実施するための形態】
【００１６】
以下に本発明の実施の形態について図面を参照して詳細に説明するが、本発明はこれに限定されるものではない。
【００１７】
図１を参照して、この発明の補綴用の歯として用いるものを作るための歯型を製作する補綴用歯型製作方法は、完成形の歯型に比べて精度が低い中間物の歯型を三次元プリンタにより自動化して作る第１のステップ（ＳＴ１）と、第１のステップで作った中間物の歯型を補修剤で仕上げて完成形の歯型を作る第２のステップ（ＳＴ２）とを含むものである。
【００１８】
ステップＳＴ１での三次元プリンタの設定としては、例えば１００μ程度の比較的粗い精度の設定でよい。
【００１９】
ステップＳＴ２での補修剤の補修は、歯科技工士によるワックスの歯の製作・調整のような高い技術が必要なものではなく、石膏模型に戻したときに落ちる精度を戻す程度の補修でよいレベルを想定している。ここで、説明の便宜上、今回のポイントを分かり易く理解して頂くために極論的な説明ではあるが、まずは製作誤差の説明をする。理想的な石膏模型があることを想定すると、スキャンの際や三次元プリンタによる製作の際さらにはそれを石膏模型に戻した際には製作誤差が生じ、その誤差を補修剤で補修すれば、上記の理想的な石膏模型ができあがることになる。今回の発明はこのような考え方も利用している。すなわち、今回のポイントはステップＳＴ１では誤差という発想よりもスピード重視で積極的に粗い精度に設定し、精度の粗さ（と誤差）を補修するという考え方で高精度も追及するという考えに至っている。ここで、補修すべき程度は、クラウンの場合と異なり、目で視認できるものであり、補修が行い易いという点がある。なお、補修剤としては、補修用レジンを用いればよい。
【図１】
2018198711.tif 000003
(57)【要約】【課題】本発明は、パチンコ遊技機において、糸付き不正遊技球や電磁波発生装置等による入賞口への不正入賞を発見防止するためのものである。【解決手段】入賞口に入賞感知スイッチを２個以上設け、入賞球は必ずすべての入賞感知スイッチを通過する構造とし、スイッチの通過順と通過時間を主基板によって管理する。電磁波不正では、同時にスイッチが反応するので、エラーとなる。また、糸付き不正球では、通過時間を合格できない。【選択図】図１、図３
2018198914.tif 000002
【特許請求の範囲】
【請求項１】
入賞口に入賞感知スイッチを２個以上設けたことを特徴とするパチンコ遊技機用役物。
【請求項２】
入賞口に入賞感知スイッチを２個以上設けることで、スイッチの通過順の判定や、通過時間の判定により、不正を発見する。
【発明の詳細な説明】
【技術分野】
【０００１】  本発明は、パチンコ遊技機において、遊技者による不正な入賞行為を防止するため、入賞口に入賞感知スイッチを複数個設け、入賞球の通過時間を比較することによって、正しい入賞感知を判別するシステムに関するものである。
【背景技術】
【０００２】  従来、パチンコ遊技機において、遊技者によって発射された遊技球は、普通入賞口やチューリップ役物などの入賞口に入賞すると、入賞口内に設置された１個の入賞感知スイッチによって入賞が感知され、賞球を得るシステムとなっている。
【発明の概要】
【発明が解決しようとする課題】
【０００３】  パチンコ遊技場（以下ホール）において、心無い遊技者の不正行為が乱発し、ホール経営を圧迫している。多くの種類の不正行為が行なわれているが、なかでも厄介な不正行為は、入賞口に設置されている入賞感知スイッチへの直接的な不正である。具体例として
（イ）不正遊技者によって予め遊技球に糸を接着した不正遊技球を、発射口より遊技盤面内に打ち込み、糸によって操り、不正球を入賞口に誘い入れる。入賞口より入賞感知スイッチに到達した不正球を糸によって操り、入賞感知を繰り返すことにより不正に賞球を繰り返し、大量の不正出玉を獲得する。
（ロ）入賞感知スイッチは、強力な電磁波によって、反応することがある。不正遊技者により隠し持込まれた電磁波発生装置により、入賞口に設置された入賞感知スイッチが誤作動し、大量の不正出玉を獲得する。
本発明は、以上のような不正行為に対し不正賞球を防ぎ、エラー信号を発信することによりホール側へ不正の通知を行なうものである。
【課題を解決するための手段】
【０００４】  パチンコ遊技は遊技者が発射した遊技球が入賞口に入賞し、入賞口内に設置された入賞感知スイッチを通過することにより、賞球が開始される。不正遊技者は、この入賞感知スイッチに直接的に糸の付いた遊技球を操り、入賞感知スイッチ内を上下に糸付き遊技球を動かすことによって、不正賞球を繰り返す。【０００５】  そこで、入賞口に入賞感知スイッチを２個設置し、入賞した遊技球は必ず設置した２個の入賞感知スイッチ（Ｓ１及びＳ２とする。）を通過する構造とし、主制御基板によって、入賞した遊技球がＳ１、Ｓ２の順で通過したかを判定する。Ｓ１だけあるいはＳ２だけの通過や、逆走した場合はエラーとし、外部端子板を経てホール側に通知する。【０００６】  さらに、Ｓ１、Ｓ２の順で通過した入賞球は、Ｓ１からＳ２までの通過時間を判定する。予めＳ１からＳ２までの通過時間を測定しておき、仮にｔ秒とする。
入賞球の通過時間とｔ秒を比較し、判定を下す。合格であれば賞球払出を行い、不合格であれば上記のように、エラーとし、外部端子板を経てホール側に通知する。
【発明の効果】
【０００７】  入賞口に入賞感知スイッチを２個以上設置することにより、スイッチの通過順による判定と通過時間の判定によって、不正糸付き遊技球での不正遊技は困難となる。【０００８】  電磁波による不正については、２個の入賞感知スイッチが同時に反応するため、入賞順エラーが発生し、不正遊技は困難となる。
【図面の簡単な説明】
【０００９】
【図１】本発明の正面図、断面図及び斜視図である。
【図２】従来技術での動作原理図である。
【図３】本発明の動作原理図である。
【発明を実施するための形態】
【００１０】  以下、本発明の実施の形態について説明する。
パチンコ遊技機において、従来、普通入賞口などの役物への入賞を感知するために１個の入賞感知スイッチが設けられている。今回、この入賞感知スイッチが不正遊技の的になった。糸付き不正遊技球を操ったり、電磁波発生装置を持込みスイッチの誤作動を誘い不正に賞球を得ようとするものである。
【００１１】  その不正対策として、入賞口役物の入賞感知スイッチを２個以上設け、入賞球は必ず２個の入賞感知スイッチを通過する構造とし、通過順と予め測定しておいた通過時間を比較、判定し、正しければ、賞球払出を行い、不正であればエラーとして、ホール側に通知する。
【００１２】  動作原理は、役物（入賞口）内に入賞感知スイッチ１（ＳＷ１）、入賞感知スイッチ２（ＳＷ２）を設置し、入賞球は、必ずＳＷ１、ＳＷ２の順で通過する構造とする。また、予めＳＷ１からＳＷ２を通過する時間ｔ秒を計測しておく。但し、ｔ秒は誤差を考慮し、ｔ±０．１秒のように幅を持たせる。
【００１３】  遊技球が入賞したら、入賞球はＳＷ１、ＳＷ２の順で通過する。その信号は主制御基板に送られ、通過順が正しいか判定する。正しければ、通過時間を判定する。順序が間違っていればエラーとし、主制御基板より外部端子板を経由して、ホール側に通知する。また、遊技機本体のランプ、音を使ってエラー表示を行なう。通過時間を判定し、基準内であれば合格判定とし、賞球払出を行なう。判定が不合格であれば、上記のようにエラー通知を行なう。以上が動作原理である。
【符号の説明】  １  入賞口    ２  入賞感知スイッチ１    ３  入賞感知スイッチ２
【図１】
2018198914.tif 000003
【図２】
2018198914.tif 000004
【図３】
2018198914.tif 000005
(57)【要約】      （修正有）【課題】親が子供達に理工科系のことを子供の頃から、遊びながら学ばせるカルタを提供する。【解決手段】世界の発見や発明を本カルタを介して、即ち理工科系のことを読み札には問題となるようなものを取り上げ、取り札には簡単に問題の答えを取り上げ、解説書にはもっと詳しく答えを解説することを特徴とする。そして、本カルタの枚数は、読み札が１００枚、取り札が１００枚とした。更に、読み札と取り札との区別がひとめでわかるように、本カルタの裏面の色を２色にした。【選択図】なし【特許請求の範囲】
【請求項１】
本カルタは、一般のカルタと異なり理工科系（全世界の発見や発明）の内容のものを親が子供達に子供の頃から、遊びながら学べるように考案したものである。
しかも読み札には、親が子供達に教えておきたいような内容のものを問題形式にして取り上げ、一方取り札には、問題の或る程度の答えのような内容のものを書き、次に解説書も用意していて、解説書には読み札と取り札との関係や、より深い内容の答えを記載してある。
【発明の詳細な説明】
【技術分野】
【０００１】  発見・発明を遊びながら学べるカルタ（以下は本カルタと称する）は、全世界の発見や発明を遊びながら親が子供達に教えることの出来るカルタである。
【背景技術】
【０００２】  従来からカルタは、「百人一首」、「いろは」、「国旗」、「どうぶつ」等々のカルタで一般家庭で遊び札として広く普及している。
【先行技術文献】
【０００３】
【発明の概要】
【発明が解決しようとする課題】
【０００４】  従来からのカルタには、「百人一首」、「いろは」、「国旗」、「どうぶつ」、「方言」、「まんが」、「アニメ」等々のカルタはあるが、どちらかと云うと文学的なものとか、一般的なものが多くあるように思われる。
そこで私が考案した、本カルタはどちらかと云えば理工科系（全世界の発見や発明）のことを親が子供のうちから、遊びながらにして教えることが出来るようにしたるものである。
しかも、親の為に分かりやすい解説書を用意している。
【課題を解決するための手段】
【０００５】  この課題を解決するために，必要な文献「例えば（学習  人名辞典  筑波大学教授  宮澤嘉夫  監修）又は（１０００の発明・発見図鑑  ロジャー・ブリッジマン  著者  小口高・鈴木良次・諸田昭夫  監訳）、（広辞苑），（初めて学ぶ物理力学  野田  学  著者），（ＨＩＲＯＨＩＭＡ  広島  吉川  清  編集・発行）」や「インターネット」等々を活用して、十分に調べ利用させてもらった。
【発明の効果】
【０００６】親が小さい内から子供達に対して、世界の発見や発明を本カルタを介して、遊びながら教えることができる。
【図面の簡単な説明】
【０００７】  本カルタも、従来からのカルタと形状はほとんど同じなので図面は省略することにするが、内容は全く異なる。
【発明を実施するための形態】
【０００８】  本カルタの形態は、基本的には読み札には問題となるものを記載し、取り札にはその回答になるものを記載することにした。
更に、親の為に解説書を用意し、本カルタの一枚ごとに読み札の問題の意味と取り札の回答の意味を子供達に理解できるように記載している。
一例を下記に記載する。
まずは読み札の例である。
「リンゴはなぜ木から落ちるのだろかな」
次は取り札の例である。
2018198916.tif 000002
更に次には解説書の内容の例である。
「イギリスの物理学者・数学者・天文学者のアイザック・ニュートンが１６８
2018198916.tif 000003
を発見したと云われている。
2018198916.tif 000004
と云うような内容にする。
また、地球上の物体に下向きに働いて重さの原因になる力のことであり、別名、「重力の法則」とも云う等々も記載した。
そして、参考として「微分・積分の発見」や「運動の法則の発見」の内容の説明も付け加えた。
更に、続参考として、（速度とは？），（加速度とは？），（等速度運動とは？）も付け加えた。
【符号の説明】
【０００９】  本カルタも、従来からのカルタと形状はほとんど同じなので、図面は省略しているので、符号の説明もないことにする。
2018198916.tif 000005
【手続補正書】
【提出日】平成29年7月20日(2017.7.20)
【手続補正４】
【補正対象書類名】明細書
【補正対象項目名】全文
【補正方法】変更
【補正の内容】
【発明の詳細な説明】
【技術の分野】
【０００１】  発見・発明を遊びながら学べるカルタ（以下は本カルタと称する）は、全世界の発見や発明を遊びながら親が子供達に教えることの出来るカルタである。
【背景技術】
【０００２】  従来からカルタは、「百人一首」、「いろは」、「国旗」、「どうぶつ」等々のカルタで一般家庭で遊び札として広く普及している。
【先行技術文献】
【０００３】
【発明の概要】
【発明が解決しようとする課題】
【０００４】  従来からのカルタには、「百人一首」、「いろは」、「国旗」、「どうぶつ」、「方言」、「まんが」、「アニメ」等々のカルタはあるが、どちらかと云うと文学的なものとか、一般的なものが多くあるように思われる。
そこで私が考案した、本カルタはどちらかと云えば理工科系（全世界の発見や発明）のことを親が子供のうちから、遊びながらにして教えることが出来るようにしたものである。
しかも、親の為に分かりやすい解説書を用意している。
【課題を解決するための手段】
【０００５】  この課題を解決するために、必要な文献「例えば（学習  人名辞典  筑波大学教授  宮澤嘉夫  監修）又は（１０００の発明・発見図鑑  ロジャー・ブリッジマン  著者  小口高・鈴木良次・諸田昭夫  監訳）、（広辞苑）、（初めて学ぶ物理学  野田学  著者）、（ＨＩＲＯＨＩＭＡ  広島  吉川清  編集・発行）」や「インターネット」等々を活用して、十分に調べ利用させてもらつた。
【発明の効果】
【０００６】  親が小さい内から子供達に対して、世界の発見や発明を本カルタを介して、遊びながら教えることができる。
【発明を実施するための形態】
【０００７】  本カルタの形態は、基本的には読み札には問題となるものを記載し、取り札にはその回答になるものを記載することにした。
更に、親の為に解説書を用意し、本カルタの一枚ごとに読み札の問題の意味と取り札の回答の意味を子供達に理解できるように記載している。
一例を下記に記載する。
まずは読み札の例である。
「リンゴはなぜ木から落ちるのだろうか」
次は取り札の例である。
2018198916.tif 000006
「イギリスの物理学者・数学者・天文学者のアイザック・ニュートンが
2018198916.tif 000007
う」と云うような内容にする。
また、地球上の物体に下向きに働いて重さの原因になる力のことであり、別名、「重力の法則」とも云う等々も記載した。
そして、参考として「微分・積分の発見」や「運動の法則の発見」の内容の説明も付け加えた。
更に、続参考として、（速度とは？），（加速度？），（等速度運動？）も付け加えた。
【手続補正６】
【補正対象書類名】図面
【補正対象項目名】全図
【補正方法】削除
【補正の内容】
(57)【要約】【課題】自動車のアイドルストップ車の燃費向上のために充電受入性能を向上させた鉛蓄電池を提供する。【解決手段】自動車のアイドルストップ車には正極と負極とをセパレータを介して交互に積層してなる極板群にアルミニウムが添加された鉛蓄電池が使用されているが、この鉛蓄電池の正極活物質層及び／又は負極活物質層にもアルミニウムを添加することで充電受入性を向上させた鉛蓄電池を得ることが出来る。特に、電解液に添加されるアルミニウム成分割合を1000ppm〜2000ppmとすることでより良い性能が得られる。【選択図】なし【特許請求の範囲】
【請求項１】
電解液にアルミニウムを添加した鉛蓄電池において、鉛蓄電池の正極活物質層または／および負極活物質層にアルミニウムを添加したことを特徴とする鉛蓄電池。
【請求項２】
電解液に添加されたアルミニウム成分割合を1000ppm〜2000ppmとしたことを特徴とする請求項１に記載の鉛蓄電池。
【発明の詳細な説明】
【技術分野】
【０００１】
本発明は、電解液にアルミニウムを添加している鉛蓄電池に関するものである。
【背景技術】
【０００２】
正極と負極とをセパレータを介して交互に積層した極板群に希硫酸からなる電解液を用いた鉛蓄電池において、電解液にアルミニウムを添加することで、正負両極に生成する硫酸鉛の可逆性が高まり、受電受入性が向上することが知られている（特許文献１）。これらの鉛蓄電池は自動車用特にアイドルストップ車用として使用されている。
【先行技術文献】
【特許文献】
【０００３】
【特許文献１】特開２００５−３１７３３１号公報
【発明の概要】
【発明が解決しようとする課題】
【０００４】
然しながら、車の燃費向上のために、鉛蓄電池はより高い充電受入性能が要求されており、充電受入性能を更に向上させる必要があり、本発明はこれらの要求に応えようとするものである。
【課題を解決するための手段】
【０００５】
本発明は、正極と負極とをセパレータを介して交互に積層した極板群とアルミニウムが添加された希硫酸からなる電解液を用いた鉛蓄電池において、正極の正極活物質層および／または負極の負極活物質層にアルミニウムを添加したことを特徴とするものである。この様に、正負極活物質層にアルミニウムを添加することにより電極の分極が変化し充電受入性を向上し得たものと考えられる。
【発明の効果】
【０００６】
本発明によれば、鉛蓄電池の充電受入性を向上させることができる。
【発明を実施するための形態】
【０００７】
本発明の実施形態を説明する。鉛蓄電池は、従来公知の通り、鉛合金製の格子基板に正極活物質ペーストを塗布充填して正極活物質層を形成した正極と負極活物質ペーストを塗布充填して負極活物質層を形成した負極を多孔質の合成樹脂からなるセパレータを介して交互に複数枚積層し、これを電槽内に収納し、予め極板群の同極性極板を接続したストラップから突出する正負極の極柱端子を貫通した蓋で電槽の開口部を閉塞すると共に端子周囲も封口し、蓋に形成された注液口から電解液を注入し、注液口を栓体により封口して得られるものである。電解液は所定濃度の希硫酸に所定量の硫酸アルミニウムを添加した。正極は、鉛にカルシウム、錫、アルミニウム、バリウムなどを混合した鉛合金により格子状に鋳造された格子基板に、酸化鉛粉に所定量の硫酸アルミニウムを添加して混合し、これを水と希硫酸によりペースト状に練り上げて格子基板に塗布充填して正極活物質層を形成し、熟成と乾燥をして未化成の正極板を得た。負極は、鉛にカルシウム、錫、アルミニウムなど混合した鉛合金により格子状に鋳造された格子基板に、鉛粉に所定量の硫酸アルミニウムを添加混合してこれを水と希硫酸によりペースト状に練り上げて格子基板に塗布充填して負極活物質層を形成し、熟成と乾燥をして未化成の負極板を得た。セパレータはポリエチレンから成る多孔質のフィルム状のセパレータとガラスマットを組み合わせた複合セパレータを用い、これらにより極板群を構成し、ポリエチレンからなる箱型の電槽に収納し、同様にポリエチレンからなる平板状の蓋を被せて電槽を封口し、アルミニウムが添加された電解液を電槽内に注液し、極板群を埋没させる程度の多量の遊離する電解液を有する液式の鉛蓄電池を作成し、蓋を貫通し突出した正負極端子を用いて化成を施して充電済の鉛蓄電池を得た。なお、正負極板を熟成と乾燥をした後に正極と負極を化成層において化成した後に極板群を構成し、電槽内に収納して鉛蓄電池を得ても良いことは勿論である。また、格子基板は、所定の組成成分を有する鉛合金を帯状に鋳造圧延し、これを格子状に打抜いた格子基板を用いても良いことも勿論である。
【０００８】
そして、添加する硫酸アルミニウム量を調整し、表１に示す様に電解液中に含まれるアルミニウム成分割合を１５００ppmとし、更に、正極活物質層のアルミニウム成分割合を０〜２５０ppmの範囲で、負極活物質層のアルミニウム成分割合を０〜１５０ppmの範囲でそれぞれ変化させ、それぞれ組み合わせて表１に示した実施例１から実施例２３までの鉛蓄電池を作製し、充電受入試験を実施して、その結果を表1に示した。なお、表1中にはそれぞれの鉛蓄電池の内部抵抗値を示した。
【０００９】
充電受入試験は、鉛蓄電池を完全充電後、蓄電池を５時間率電流で０．５時間放電し、その後２０時間放置した後、１４．０±０．１Ｖの定電圧、最大電流１００Ａで充電し、充電開始後５秒目の充電電流を測定した。尚、試験中の鉛蓄電池は電解液温度が２５±２℃の環境下に置いた。
【００１０】
なお、アルミニウム成分割合とは添加したアルミニウム化合物のアルミニウム換算量の割合を示し、それぞれ正極活物質層、負極活物質層および電解液中における割合をppmで示した。更に比較例１として電解液にのみ硫酸アルミニウムを添加した鉛蓄電池の充電受入試験の結果を示した。
【００１１】
【表１】
2018198151.tif 000002
【００１２】
この表１から明らかな通り、充電開始後５秒目の５秒目電流は比較例１の４５（Ａ）に比べ、４７〜６０（Ａ）といずれも大きく、充電受入性が向上していることが分かる。
【００１３】
更に、表１において、５秒目電流の大きかった正極活物質層に含まれるアルミニウム成分割合を５０ppm、負極活物質層に含まれるアルミニウム成分割合を１０ppmと一定として、電解液中のアルミニウム成分割合を変えた実施例２４から実施例２７の鉛蓄電池を作製し、同様の充電受入試験を実施した結果を実施例５と共に表２に示す。なお、表２中にもそれぞれの鉛蓄電池の内部抵抗値を示した。
【００１４】
【表２】
2018198151.tif 000003
【００１５】
この結果から明らかな通り、電解液中に含まれるアルミニウム成分量は１０００〜２０００ppmの場合が５秒目電流値が６０〜６１（Ａ）と大きな値を示し、充電受入性が特に良いことを示している。
【００１６】
この傾向は、正負極活物質層に含まれるアルミニウム成分割合を変えても同様の傾向にあること確認した。
【００１７】
なお、アルミニウム成分としては、上記の硫酸アルミニウムのみならず、リン酸アルミニウム、水酸化アルミニウム、酸化アルミニウム、ケイ酸アルミニウム、炭酸アルミニウムなど適宜のアルミニウム化合物を用いることが出来る。
【００１８】
以上の通り電解液中のみならず、正極活物質及び／又は負極活物質層にアルミニウム成分を添加することで、鉛蓄電池の充電受入性を向上させることが出来る。
(57)【要約】【課題】電源基板の結露を防止した洞道照明装置を提供する。【解決手段】端子Ｔ１、Ｔ２、Ｔ３等を備えたポリカーボネート樹脂よりなるハウジング１の底部に電源基板２がねじによって取付けられる。この場合、電源基板２上には予め電源回路２１及びヒータ２２が実装されている。ハウジング１にはＬＥＤ基板４を固定するためのステー３がねじによって取付けられる。ＬＥＤ基板４上には複数のＬＥＤ素子が予め実装され、ＬＥＤ素子は電源回路２１に電気的に接続される。ハウジング１にはパッキン５を介してポリカーボネート樹脂よりなる透光性カバー（レンズ）６がねじによって取付けられる。【選択図】  図１
2018198124.tif 000002
【特許請求の範囲】
【請求項１】
樹脂密閉構造と、
前記樹脂密閉構造内に設けられた発光素子と、
前記樹脂密閉構造内に設けられ、前記発光素子に電気的に接続された電源回路を有する電源基板と、
前記電源基板に設けられた発熱源と
を具備する洞道照明装置。  
【請求項２】
前記電源基板の電源回路は外部に設けられた第１のスイッチを介して外部電源に接続され、前記発熱源は外部に設けられた第２のスイッチを介して前記外部電源に接続された請求項１に記載の洞道照明装置。
【発明の詳細な説明】
【技術分野】
【０００１】
本発明は電信線、電話線、電力線等を埋設する洞道に用いられる洞道照明装置に関する。
【背景技術】
【０００２】
一般に、洞道照明装置においては、ポリカーボネート樹脂等よりなる樹脂密閉構造内に発光素子たとえば発光ダイオード（ＬＥＤ）素子及びその電源基板を設けている。この樹脂密閉構造は透光性カバー（レンズ）を有する。
【先行技術文献】
【特許文献】
【０００３】
【特許文献１】特開平１１−２１３７１６号公報
【発明の概要】
【発明が解決しようとする課題】
【０００４】
上述の洞道照明装置は作業員が点検作業を行うときのみオンとされる。通常は、洞道照明装置は一日に数回又は１年に数回のみしかオンされない。従って、洞道照明装置が洞道の高湿度環境に非常に長期的に亘って曝されるので、湿気が樹脂密閉構造内に侵入し、樹脂密閉構造は高湿状態となる。この結果、樹脂密閉構造内が結露する。特に、電源基板が結露すると、絶縁性が低下して洞道照明装置の不点灯等の故障が発生するという課題がある。
【０００５】
他方、一般に、トンネルにおいては、複数の道路照明装置が設けられ、昼間は全部が点灯とされ、夜間は一部が点灯とされる。つまり間引点灯とされる道路照明装置がある。従って、間引点灯つまり昼間点灯されかつ夜間非点灯とされる道路照明装置において、昼間、発光素子がオンとされると、透光性レンズの温度は一時的に上昇するが、夜間、発光素子がオフとなると、透光性レンズに結露が発生する。この結果、透光性レンズに汚れが付着し、照明効果が低下する。このため、透光性レンズにヒータを設け、透光性レンズを約５０℃に加熱するようにし、これにより、透光性レンズの付着汚れを少なくして照明効果の低下を抑止できるものがある（参照：特許文献１）。しかし、ヒータを透光性レンズに設けた場合、外気に曝された透光性レンズの温度のみ上昇するも、ヒータは電源基板から遠いので、電源基板の温度は上昇せず、電源基板の結露を防止できず、絶縁性の低下を抑止して不点灯等の不具合の発生を防止できない。
【課題を解決するための手段】
【０００６】
上述の課題を解決するために、本発明に係る洞道照明装置は、樹脂密閉構造と、樹脂密閉構造内に設けられた発光素子と、樹脂密閉構造内に設けられ、発光素子に電気的に接続された電源回路を有する電源基板と、電源基板に設けられた発熱源とを具備するものである。    
【発明の効果】
【０００７】
本発明によれば、電源基板に設けられた発熱源によって樹脂密閉構造内特に電源基板が加熱されるので、電源基板の結露を防止でき、従って、不点灯等の故障を防止できる。
【図面の簡単な説明】
【０００８】
【図１】本発明に係る洞道照明装置の実施の形態を示す分解斜視図である。
【図２】図１の洞道照明装置の電気回路図である。
【発明を実施するための形態】
【０００９】
図１は本発明に係る洞道照明装置の実施の形態を示す分解斜視図である。尚、図１においては、取付ねじ、ハーネスは省略してある。
【００１０】
図１において、端子Ｔ１、Ｔ２、Ｔ３等を備えたポリカーボネート樹脂よりなるハウジング１の底部に電源基板２がねじ（図示せず）によって取付けられる。この場合、電源基板２上には予め整流平滑回路、定電流回路等よりなる電源回路２１及びヒータ２２が実装されている。また、ハウジング１にはＬＥＤ基板４を固定するためのステー３がねじ（図示せず）によって取付けられる。ＬＥＤ基板４上には複数のＬＥＤ素子（図示せず）が予め実装され、これらＬＥＤ素子はＬＥＤ基板４の裏面のハーネスを介して電源回路２１に電気的に接続される。さらに、ハウジング１にはパッキン５を介してポリカーボネート樹脂よりなる透光性カバー（レンズ）６がねじ（図示せず）によって取付けられる。これにより、樹脂密閉構造の洞道照明装置が完成する。
【００１１】
図２は図１の洞道照明装置の電気回路図である。
【００１２】
図２において、端子Ｔ１、Ｔ３は電源回路２１に接続され、端子Ｔ２、Ｔ３はヒータ２２に接続される。つまり、端子Ｔ３は電源回路２１及びヒータ２２に共通の端子である。端子Ｔ１、Ｔ２は洞道照明装置の外部に設けられたスイッチＳＷ１、ＳＷ２を介して外部交流（ＡＣ）電源Ｐに接続される。
【００１３】
図２においては、洞道の作業者は作業を行う前にスイッチＳＷ１をオンにして洞道照明装置を点灯する。つまり、作業毎に洞道照明装置は点灯する。他方、スイッチＳＷ２は常時オンとされており、従って、ヒータ２２は２４時間３６５日加熱されている。この結果、電源回路２１は常に加熱される。この場合、ヒータ２２は外気に曝されていないので、樹脂密閉構造内の全体の空気を加熱できる。このようにして、電源回路２１の結露を防止でき、従って、電源回路２１の絶縁性の低下を防止でき、この結果、洞道照明装置の不点灯等の故障の発生を抑止できる。
【００１４】
尚、上述の実施の形態においては、発熱源として抵抗型ヒータを用いているが、他の発熱源たとえば赤外光源でもよい。また、発光素子はＬＥＤ素子としているが、他の発光素子たとえばレーザダイオード（ＬＤ）素子でもよい。また発熱源として電源回路自身を用いてもよい。さらに、外部交流電源（ＡＣ）を接続しているが、外部直流電源（ＤＣ）を接続してもよい。この場合には、電源回路２１内の整流平滑回路は不要となる。
【００１５】
また、本発明は、上述の実施の形態の自明の範囲のいかなる変更に適用し得る。
【符号の説明】
【００１６】
１：ハウジング
２：電源基板
２１：電源回路
２２：発熱源（ヒータ）
３：ステー
４：ＬＥＤ基板
５：パッキン
６：透光性カバー（レンズ）
Ｔ１、Ｔ２、Ｔ３：端子
Ｐ：外部交流電源
【図１】
2018198124.tif 000003
【図２】
2018198124.tif 000004
(57)【要約】      （修正有）【課題】人の老化の原因が体内でのコラーゲン生成の失調によると言われ、コラーゲン生成にはビタミンＣが不可欠である。両者は経口で取り入れても、胃で分解されるので、この問題を解決する食品の提供。【解決手段】ビタミンＣを乳汁中の蛋白質カゼインと反応させると、凝縮すると同時に、カゼインを構成しているアミノ酸と複合体であるを作るので、胃液の消化作用を受けずに腸に達し、体内のコラーゲン生成に役立つ乳蛋白凝固食品。乳汁にビタミンＣを加えて、凝固分離したもの、又は更に乾燥粉砕した乳蛋白凝固食品。【選択図】なし【特許請求の範囲】
【請求項１】
乳汁にビタミンＣを加えて、凝固分離して得る乳蛋白凝固食品。
【請求項２】
乳汁にビタミンＣを加えて、凝固分離した後、乾燥粉砕した請求項１の乳蛋白凝固食品。
【発明の詳細な説明】
【技術分野】
【０００１】本発明は、牛や羊などの乳汁を凝固分離した乳蛋白凝固食品に関するものである。
【背景技術】
【０００２】従来、牛や羊などの乳汁を凝固分離する技術による食品にチーズがある。【０００３】以下、乳汁を凝固分離する技術を簡単に説明する。
牛や羊などの乳汁は従来子牛や子羊の胃液から作られるレンネットの作用や乳酸菌の作用を利用して凝固分離し、チーズ等の食品が作られている。
【発明の概要】
【発明が解決しようとしている課題】
【０００４】以上に述べた乳汁を凝固分離して得る食品は、すぐれた蛋白質食品として用いられて来たが、人の高齢化に伴った高齢者の健康を維持するにたる食品とは言えず、さまざまな問題、たとえば血管障害、筋肉痛等が生じている。
【０００５】人の老化の原因の多くは、体の結合組織を形成する蛋白質の一種のコラーゲンの生成量の不足と言われている。
そしてコラーゲンの体内生成にはビタミンＣ（アスコルビン酸）が不可欠な成分であることが判明している。
【０００６】コラーゲンは経口で摂り入れた場合、胃の消化活動で分解され、腸に至って単体のアミノ酸に分解されて吸収されるため、生体のコラーゲン不足を解消するものとはならない。
【０００７】本発明は、従来の食生活の問題を解決しようとするものであり、人の高齢化に伴って健康で長生きするための栄養素を補い、且つ美味な食品を作り出すことを目的とするものである。
【課題を解決するための手段】
【０００８】牛や羊の親子の生態を見るとき、子牛や子羊の胃液の成分レンニン（レンネット）は、乳汁を凝固させて、胃での消化分解に抵抗している点に注目して、コラーゲン生成に不可欠なビタミンＣを乳汁に加え、乳汁中の蛋白質成分（カゼイン）と反応させて、乳汁を凝固し、同時にカゼインを構成しているアミノ酸と複合体を作り、これを摂取した時、胃の消化作用に抵抗して、腸へ送り出される食品を作り出したものである。
【０００９】上記の作業の構成は、乳汁（生乳）約２００ｍｌを容器に取り入れ、温浴上にて、およそ３０℃〜４０℃に温め、ビタミンＣを正確に２ｇ秤取して乳汁に加え撹拌混合する。
直後、反応して凝縮が始まり、液体成分と固形分とに分離する。
これを濾過し、ろ液と分離して固形物を得る。
その固形物の性状は、白色で粘土質の塊で、におい、酸味は殆ど無く、僅かに甘味があり美味である。
本発明は、以上の構成よりなる乳蛋白凝固食品である。
【発明の効果】
【００１０】上述したように、本発明の乳蛋白凝固食品は、白色で、匂い、酸味は殆ど無く、僅かに上品な甘味があって美味である。
また、乳蛋白とビタミンＣの関わりから、高齢者の健康長寿のための栄養源として提供できる。
【発明を実施するための形態】
【００１１】以下本発明を実施するための形態を説明する。
乳汁（生乳）２００ｍｌを正確に秤量し、適当な容器に取り入れ、温浴上にて３０℃〜４０℃に温めビタミンＣ（アスコルビン酸）を正確に２ｇ秤取して乳汁中に加えて撹拌混合する。直後に反応して乳汁中の蛋白質（カゼイン）は凝固して液体成分と分離して白色のかたまりの集合体となる。
これを濾過してろ液と分離すると粘土状のかたまりの食品を得る。
【００１２】その味には、ビタミンＣ特有の酸味は殆ど無く僅かに上品な甘味があり美味である。このことは乳汁に含まれる蛋白質成分が、ビタミンＣと複合体を形成したものと思われる。
【００１３】この様にして作られた食品は、コラーゲン失調により老化した高齢者のコラーゲン不足を補う格好の食品として提供する事が出来る。
(57)【要約】      （修正有）【課題】部屋の外側に設置された部屋の使用中を第三者に知らせる表示器において、部屋使用中を知らせる為の表示器の操作忘れを入室後に気付いた時、また、諸事情により部屋から出られなくなった時、部屋の内側から部屋の外側に有る表示器の操作が出来て、第三者に部屋の使用中を知らせる事が出来る表示器を提供する。【解決手段】部屋を使用する時、部屋の扉の外側面に部屋扉外側用使用中表示器を設置し、その扉の内側面の同位置に部屋扉内側用使用中表示器を設置する。各表示器内の可動板３には永久磁石５が埋め込まれており、お互いの磁力が引き合う事で連動して動作するようになっている。部屋入室後、部屋の内側から部屋外側の部屋扉外側用使用中表示器の可動板の操作が出来て、第三者に部屋の使用中を知らせる事を特徴とする。【選択図】図３
2018072785.tif 000002
【特許請求の範囲】
【請求項１】
部屋を使用する時、部屋の扉の外側面に部屋扉外側用使用中表示器を設置し、その扉の内側面の同位置に部屋扉内側用使用中表示器を設置する。各表示器内には可動板が設けられ、それぞれには永久磁石が埋め込まれており、お互いの磁力の引き合いによって可動板が連動して動作するようになっている部屋扉外側用使用中表示器と部屋扉内側用使用中表示器の一式。
【発明の詳細な説明】
【技術分野】
【０００１】この発明は、部屋の使用中を第三者に知らせる為に、部屋の扉の外側と内側に設置して、部屋の使用中を知らせる事が出来る部屋扉外側用使用中表示器と部屋扉内側用使用中表示器の一式に関するものである。
【背景技術】
【０００２】従来、部屋の使用中を知らせる為、部屋の外側に設置する表示器が有った。
【発明の概要】
【発明が解決しようとする課題】
【０００３】  そのために、次のような問題点があった。
（イ）部屋へ入室後、諸事情により部屋から出られなくなった時、部屋の内側から外側の表示器を操作する事が出来なかった。
（ロ）電源が必要で有った。
本発明は、これらの問題点を解決するためになされたものである。
【問題を解決するための手段】
【０００４】  部屋を使用する時、部屋の扉の外側面に部屋扉外側用使用中表示器（図１）を設置し、その扉の内側面の同位置に部屋扉内側用使用中表示器（図４）を設置する。各表示器内の可動板（３）（１０）には永久磁石（５）（１２）が埋め込まれており、お互いの磁力の引き合いで連動して動作する。部屋扉内側用使用中表示器（図４）の可動板（１０）を操作すると、部屋扉外側用使用中表示器（図１）の可動板（３）が連動して動作する。
本発明は、以上の構成よりなる部屋扉外側用、内側用使用中表示器の一式である。
【発明の効果】
【０００５】  部屋入室後、部屋の扉の外側に設置された部屋扉外側用使用中表示器の可動板の操作忘れに気付いた時や、諸事情により部屋から出られなくなった時に、部屋の内側から部屋の外側の部屋扉外側用使用中表示器の可動板の操作が出来て、第三者に部屋の使用中を知らせる事が出来る。又、電源を必要としないので半永久的に使用する事が出来る。
【図面の簡単な説明】
【０００６】
【図１】本発明の部屋扉外側用使用中表示器の正面図
【図２】図１におけるＡ−Ａ線断面図
【図３】図１における可動板操作後の正面図
【図４】本発明の部屋扉内側用使用中表示器の正面図
【図５】図４におけるＢ−Ｂ線断面図
【図６】図４における可動板操作後の正面図
【発明を実施するための形態】
【０００７】以下、本発明を実施するための形態について説明する。
部屋扉外側用使用中表示器（図１）は、ケース（１）の内側に可動板（３）を設け、ケース（１）に可動板（３）の空室表示面（４）、又は、使用中表示面（７）を確認できるケース窓枠（２）を設ける。それと、対照的な部屋扉内側用使用中表示器（図４）を準備する。
本発明は、以上のような構造である。
これを使用する時は、部屋の扉の外側面に部屋扉外側用使用中表示器（図１）を設置し、その扉の内側面の同位置に部屋扉内側用使用中表示器（図４）を設置する。各表示器内の可動板（３）（１０）には永久磁石（５）（１２）が埋め込まれており、お互いの磁力の引き合いで連動して動作するようになっている。部屋扉外側用使用中表示器（図１）の可動板（３）又は、部屋扉内側用使用中表示器（図４）の可動板（１０）を操作する事で、可動板（３）と可動板（１０）は連動して動作する。部屋の使用者が入室する前に、部屋扉外側用使用中表示器のケース窓枠内の空室表示面の可動板を横にスライドさせて、ケース窓枠から使用中表示面が確認出来るようにする。又、部屋扉外側用使用中表示器の操作を忘れて入室し、操作忘れに気付いたが、諸事情により部屋から出られなくなった時、部屋扉内側用使用中表示器の可動板を操作する事で、部屋扉外側用使用中表示器内の可動板が連動して動作し、使用中表示面がケース窓枠内に表示され、第三者に知らせる事が出来る。
【符号の説明】
【０００８】  １  ケース
２  ケース窓枠
３  可動板
４  空室表示面
５  埋め込み式永久磁石
６  空間
７  使用中表示面
８  ケース
９  ケース窓枠
１０  可動板
１１  空室表示面
１２  埋め込み式永久磁石
１３  空間
１４  使用中表示面
【図１】
2018072785.tif 000003
【図２】
2018072785.tif 000004
【図３】
2018072785.tif 000005
【図４】
2018072785.tif 000006
【図５】
2018072785.tif 000007
【図６】
2018072785.tif 000008
(57)【要約】      （修正有）【課題】日本の詰将棋を海外の国に広げ幼少年、初心者などが学び易くヒントを与え、将来は国際交流、国際平和の一助にすべく考案した方法を提供する。【解決手段】解答の時系列の数文字１の表示をなし、手順のヒントを開示し解答に対する楽しさ、および意欲の惹起を目指すものである【選択図】図１
2018072788.tif 000002
【特許請求の範囲】
【請求項１】
詰将棋に於ける、将棋盤の升目の中、又は他の任意の場所に、解答手順の、升目表示の数文字時系列を記載し、解答のヒントを示す方法
【発明の詳細な説明】
【０００１】本発明は詰将棋に関するものである
【背景技術】
【０００２】従来、詰将棋において解答の表現方法が江戸時代から、何ら変わらずに現在に至っている、これを改善せんとする方法である
【先行技術文献】
【特許文献】
【発明の概要】
【発明が解決しようとする課題】
【０００３】詰将棋における解答の手順は、初心者や海外の人々には非常に難解で将棋の普及拡大の障害、原因であり、これを軽減せんとする方法である
【課題を解決するための手段】
【０００４】即ち、解答に於ける手順に順番番号を付し、この番号を設問を記載した将棋盤の升目内に記入する、そしてこの番号をヒントに交互に順次追う事により解答を導く方法である
【発明の効果】
【０００５】この升目内に付された番号が解答手順の案内誘導役のヒントを果たす為、初心者の独学、また外国人などに於いても、大いなる解答に対する理解効果が得られるものである
【図面の簡単な説明】
【０００６】
【図１】升目に記載した解答手順の数字
【図２】番号を付した解答手順
【発明を実施する為の形態】
【０００７】即ち将棋盤の個々の舛内に詰将棋解答の交互の手順の番号を記載させ、設問解答の手がかりヒントを表示するものである、
【産業上の利用可能性】
【０００８】将棋の初心者や海外への拡大手段の一助となり、世界の交流平和を目指すものである
【符号の説明】
【０００９】１・・・解答手順、時系列数字
２・・・設問、手順ヒント記載の将棋盤
３・・・解答書
【図１】
2018072788.tif 000003
【図２】
2018072788.tif 000004
(57)【要約】      （修正有）【課題】視認性を向上させることができるモノクロタイプのネガ液晶パネルを提供する。【解決手段】赤色のインク緑色のインク青色のインクを配列させて三原色フイルムを作成する。その三原色フイルムをモノクロタイプのネガ液晶パネルの液晶とガラスの間に設ける。バックライトを右に置いた場合右からバックライト、偏光板Ｒ、ガラスＲ、三原色フイルム、液晶とシール、ガラスＦ、偏光板Ｆのような構成とする。【選択図】図２
2018072790.tif 000002
【特許請求の範囲】
【請求項１】
赤色のインク緑色のインク青色のインクを配列させて三原色フイルムを作成します。モノクロタイプのネガ液晶パネルの液晶とガラスの間に三原色フイルムを設ける。
【請求項２】
赤色のインク緑色のインク青色のインクを配列させて三原色フイルムを作成します。モノクロタイプのネガ液晶パネルのガラスと偏光板の間に三原色フイルムを設ける。
【発明の詳細な説明】
【技術分野】
【０００１】  本発明は、モノクロタイプのネガ液晶パネルの点灯パターンを暗くする事なく、背景色を暗くさせるものです。
【背景技術】
【０００２】  モノクロタイプのネガ液晶パネルの背景色は濃いブルーです。その背景色を暗くさせるために外付けフィルターを用いて光を減光させ、背景色を暗くします。
【発明が解決しようとする課題】
【０００３】  外付けフィルターを用いると点灯パターンまで暗くなってしまい、視認性が悪くなってしまいます。
本発明は、以上の問題を解決し、液晶パターンの視認性を向上させます。
【課題を解決するための手段】
【０００４】  赤色、緑色、青色のインクを配列させて三原色フイルムを作成します。その三原色フイルムをモノクロタイプのネガ液晶パネルの液晶とガラスの間に設けます。
バックライトを右に置いた場合右からバックライト、偏光板Ｒ、ガラスＲ、三原色フイルム、液晶とシール、ガラスＦ、偏光板Ｆです。
又、請求項２のように三原色フイルムをガラスと偏光板の間に設ける事も出来ます。
本発明は、以上のような構成よりなる背景色が暗いモノクロタイプのネガ液晶パネルである。
【発明の効果】
【０００５】  モノクロタイプのネガ液晶パネルに三原色フイルムを組み込んだ場合、背景色は背景色＋インクの色となり背景色は暗くなります。そして点灯パターンは赤、緑、青が光るため肉眼では白色に見えます。
【発明を実施するための最良の形態】
【０００６】  以下、本発明の形態を説明する。
赤色のインク（１）、緑色のインク（２）、青色のインク（３）を配列させて、三原色フイルム（４）を作成する。三原色フイルム（４）をモノクロタイプのネガ液晶パネルの液晶（７）とガラスＲ（１０）の間に設ける。
構成はバックライト（８）を右に置いた場合右からバックライト（８）、偏光板Ｒ（１１）、ガラスＲ（１０）、三原色フイルム（４）、液晶（７）とシール（９）、ガラスＦ（６）、偏光板Ｆ（５）となります。
本発明は以上の構成よりなる。
三原色フイルム（４）を設ける場所は他に、ガラスＲ（１０）と偏光板Ｒ（１１）の間や、偏光板Ｆ（５）とガラスＦ（６）の間、ガラスＦ（６）と液晶（７）の間に設ける事も考えられます。
【図面の簡単な説明】
【０００７】
【図１】三原色フイルム（４）の上視図
【図２】本発明の側面断面図
【図３】請求項２の側面断面図
【符号の説明】
【０００８】  （１）赤色のインク、（２）緑色のインク、（３）青色のインク、（４）三原色フイルム、（５）偏光板Ｆ、（６）ガラスＦ、（７）液晶、（８）バックライト、（９）シール  （１０）ガラスＲ、（１１）偏光板Ｒ
【図１】
2018072790.tif 000003
【図２】
2018072790.tif 000004
【図３】
2018072790.tif 000005
(57)【要約】      （修正有）【課題】膨大な信号機のＧＰＳ位置情報をデータ化して自動運転時の位置情報として用いる。【解決手段】衛星を使ったＧＰＳ情報と地上の信号機を位置情報として組み合わせる事により次世代自動車自動運転システムとする。車の信号は歩道上にあり車信号赤の時に、携帯電話自撮り棒のＧＰＳ機能付き電話をガーゼで覆い、青信号球面にタッチした状態で位置情報をシャッターし、空間に信号を表示することで、横断信号やビル等周りの灯りと区別でき完璧な自動運転位置情報が得られる。【選択図】なし【特許請求の範囲】
【請求項１】
道路信号機の信号位置を示すGPSデータを信号機GPSデータとし、衛星GPSデータと併用して利用することを特徴とする、車を自動運転させる信号機位置情報自動運転システム。
【発明の詳細な説明】
【技術分野】
【０００１】
車の自動運転に関する運輸分野である。
【背景技術】
【０００２】
GPSを利用した車の自動運転が検討されている。
信号機は固定されており、固定され信号機GPS位置情報と衛星GPS情報を使ってより安全で確実に自動運転を軌道に乗せる特願である。
【０００３】
特許文献１もGPSを利用方法だが信号機を位置特定して利用する今回の方法とは違う。
【０００４】
特許文献２も携帯電話単体の移動時の位置情報利用に関するもので信号機位置情報を利用する自動車の自動運転とは違う。
【先行技術文献】
【特許文献】
【０００５】
【特許文献１】特開２０１１−０５３１０１
【特許文献２】特開２０１０−１４５４１３
【発明の概要】
【発明が解決しようとする課題】
【０００６】
信号機が多数存在する市街地では、車の自動運転が確実性と安全性に不安がある。
【課題を解決するための手段】
【０００７】
全ての固定された信号機の信号位置情報をデータ化する。データ作りはタクシーや車に信号感知センサーを搭載し信号真下通過のGPSデータを登録して集積する。道路信号機の信号位置を示すGPSデータを信号機GPSデータとし、衛星GPSデータと併用して利用することを特徴とする、車を自動運転させる信号機位置情報自動運転システム。
【発明の効果】
【０００８】
高齢者の交通事故、過疎地の高齢者の移動手段いわゆる足の確保は大きな課題です。高速道路以外の一般道での自動運転を安全で確実なものにする事。
【発明を実施するための形態】
【０００９】
各地区の信号機を管轄する分野や警察、自動車産業等からのデータ提供の協力を得て、ＧＰＳのデータに追加した自動運転のデータを活用する。勿論GPS不具合や停電による信号不能状態はナビゲーション機能で運転者に知らせる。